(57)【要約】      （修正有）【課題】網状体を展開設置または収納を安全かつ簡便に作業することができる、つる植物網収納展開装置を提供する。【解決手段】高所へのつる植物１４の這い上がり状態においては、網状体１の上端に紐状体２を設けて、紐状体が自在に作動する紐受体４および、止め付紐受体３を設けたことにより、紐状引き体２Ａを少し引き下げ、止め付紐受体の止め機構を解除し紐状引き体を引き上げることにより地表面に自重にて網状体を下ろして、つる性植物を取り除けば簡便かつ安全に作業がおこなえ網状体を自在巻取棒体に巻き取り、紐状引き体を引き下げれば止め付紐受体および紐受体を介し安全かつ簡便に収納を行え止め付紐受体により網状体を固定でき、窓の上軒下、壁、建造物などに取付穴においてネジ、くぎ、などにより設置する。【選択図】図２
2016146812.tif 000002
【特許請求の範囲】
【請求項１】
網状体の上端部に、紐状体を設け紐受体をかいして紐状引き体を設ける網状体の下端部に支持体を設けたつる植物網収納展開装置。
【請求項２】
網状体に紐状体、紐状引き体、支持体を複数個設けた請求項１に記載のつる植物網収納展開装置。
【請求項３】
紐受体を、複数個設けた請求項１に記載のつる植物網収納展開装置。
【請求項４】
網状体に、自在巻取棒体を水平方向に設けた請求項１に記載のつる植物網収納展開装置。
【請求項５】
自在巻取棒体を、複数本設けた請求項１ないし４のいずれかに記載のつる植物網収納展開装置。
【請求項６】
設置体に、止め付紐受体、紐受体を設けた、請求項１ないし３のいずれかに記載のつる植物網収納展開装置。
【発明の詳細な説明】
【技術分野】
【０００１】この発明は、網状体の上端部に紐状引き体、紐状体、下端部に支持体を設け網状体に設けた紐状引き体を引き、止め付紐受体、紐受体をかいし上昇および下降することにより網状体を展開設置または収納を安全かつ簡便に作業することができる、つる植物網収納展開装置に関するものである。
【背景技術】
【０００２】従来、つる植物を這わせる水平方向の網巻き取りおよび設置方法は、縦方向に二本のポールを立設し軒など上部に支えを必要とした、また使用後に網を巻き取り設置状態においての保管した場合見た目にもよくなく高所のつる植物の撤去は危険を伴い、取り外し収納の場合にはポールなどは長く保管場所を必要とした。
【先行技術文献】
【特許文献】
【０００３】
【特許文献１】  特開２０１２−２１０１８１号公報
【発明の概要】
【発明が解決しようとする課題】
【０００４】つる植物を這わせる水平方向の網状体の巻き取り、および展開、伸張、再設置には二本の立設するポールと軒など上部に支えを必要とし、巻き取りには高所での作業は危険であり収納の場合にはポール等は長く保管に場所を必要とし、そのまま保管の場合見た目にもよくなく、また高所に這い上った植物を撤去するときなど危険をともなった。
本発明は、以上のような欠点をなくすためになされたものである。
【課題を解決するための手段】
【０００５】止め付紐受体３、紐受体４の取付穴６において釘、螺子などにより、まど、軒などの上部に固定設置して、網状体１の下端部に設けた支持体８をプランター１２など固定物に固定し、上端部には紐状体２および紐状引き体２Ａ設け、紐状体２が自在に作動する止め付紐受体３、紐受体４をかいし紐状引き体２Ａを下に引くことにより、上昇し網状体１を展開伸張、また紐状引き体２Ａを引き上げることにより、網状体１を自重または引き下ろし地表面に下降することを特徴とする。【０００６】紐状引き体２Ａを少し引き下げ、止め付紐受体３の止め機構を解除し、紐状引き体２Ａを引き上げながら、網状体１の自重または引き下ろしにより網状体１を地表面に下ろし、つる植物を取り除き網状体１を自在巻取棒体７に巻き取り、支持体８を巻取り紐状体２に固定して、紐状引き体２Ａを引き下げれば網状体１は止め付紐受体３および紐受体４に密接収納でき、紐状体２を止め付紐受体３により固定収納することを特徴とする。【０００７】網状体１に、自在巻取棒体７を設けたことにより、網状体１の自重、および風、つる植物の重みなどによる、たわみを防いだものであり自在巻取棒体７に巻取り、止め付紐受体３および紐受体４に網状体１を、たわみ無く密接収納することを特徴とする。【０００８】自在巻取棒体７に回転自在な保持体９を紐状体２と網状体１の間に設けたことにより網状体１が破損、および取り替え時など紐状引き体２Ａを引き上げ止め付紐受体３，紐受体４を介し網状体１を地表面に下降して自在巻取棒体７より網状体１を取り外し、取り付けを安全に作業できることを特徴とする。【０００９】網状体１の展開伸張設置には網状体１の下端部に設けた支持体８をプランター１２など固定物に固定し、上端部設けた紐状体２の紐状引き体２Ａを引き下げれば、紐状体２が自在に作動する止め付紐受体３、紐受体４を介し網状体１が上昇し展開伸張設置することを特徴とする。【００１０】収納容器１０に固定設置物１１を設けたことにより、紐状引き体２Ａを固定設置すれば止め付紐受体３を紐受体４に置き換えてもよく、止め付紐受体３の止め機構は無くても良く固定設置物１１は収納容器１０の外でも良いことを特徴とする。【００１１】設置体５に網状体１を収納する覆い（図示省略）を設け網状体１収納すれば見た目にもよく網状体１を保護することを特徴とする。
【発明の効果】
【００１２】本発明によれば、上記構成により網状体を簡便かつ安全に収納および展開伸張設置また取り替えでき、高く這い上ったつる植物の撤去を地表面において行え、網状体を支えるポールなど立設物および上部、下部の突っ張り場所を必要とせず収納には設置体に収納することにより見た目にもよく収納場所を取らない。
【図面の簡単な説明】
【００１３】
【図１】図１は、本発明に係わるつる植物網収納展開装置の、展開した基本的な正面図である。
【図２】図２は、本発明に係わるつる植物網収納展開装置の、実施形態の状態を示した止め付紐受体を設けた展開伸張設置の正面図である。
【図３】図３は、本発明に係わるつる植物網収納展開装置の、自在巻取棒体を設けた展開伸張設置の正面図である。
【図４】図４は、本発明に係わるつる植物網収納展開装置の、設置体を設けた展開伸張設置した正面図である。
【図５】図５は、本発明に係わるつる植物網収納展開装置の、網状体を地表面に下降した正面図である。
【図６】図６は、本発明に係わるつる植物網収納展開装置の、自在巻取棒体に巻き取り収納した正面図である。
【図７】図７は、本発明に係わるつる植物網収納展開装置の、紐状体および紐受体４を複数個設けた展開伸張設置した正面図である。
【図８】図８は、本発明に係わるつる植物網収納展開装置の、網状体と紐状体の間に自在巻取棒体を設けて網状体を取り替え自在にした展開伸張設置した正面図である。
【発明を実施するための形態】
【００１４】以下、本発明を実施するための形態を、図面に基づいて詳細に説明する。
【００１５】図１は、本発明に係るつる植物網収納展開装置の一実施形態における図である。建物のまど１３の上部、また軒下、建造物などに紐受体４を所定の間隔をあけて固定設置し、網状体１の下端部に設けた支持体８をプランター１２、くい、柵、建造物など固定物に固定設置して網状体１の上端部に設けた紐状体２を、紐受体４を介し上下自在に作動する紐状引き体２Ａを引き下げ、網状体１を展開伸張設置し紐状引き体２Ａを引き下げたとき長く見た目にも良くなく危険なため収納容器１０を壁などに設けて収納する、また紐状体２Ａを図２の示すように止め付紐受体３を設けて固定してもよく、図４の示すように設置体５に設けた止め付紐受体３により固定してもよい、または収納容器１０に固定設置物１１を設け紐状引き体２Ａを固定してもよいことは言うまでもない、図１の実施形態におけるつる植物網収納展開装置の基本的な構成である。
【００１６】図２は、本発明に係るつる植物網収納展開装置の一実施形態における、つる植物１４の栽培状態を示した図である。止め付紐受体３、紐受体４を所定の間隔をあけて固定設置し、網状体１の下端部に設けた支持体８をプランター１２、に固定設置して網状体１の上端部に設けた紐状体２を、止め付紐受体３および紐受体４を介し上下自在に作動する紐状引き体２Ａを引き下げ、止め付紐受体３により紐状体２を固定し、網状体１を展開伸張設置しプランター１２につる植物１４を栽培したものである。以上が、図２の実施形態におけるつる植物網収納展開装置の構成である。
【００１７】  図３は、本発明に係るつる植物網収納展開装置の別の一実施形態における展開伸張設置を示した図である。図２に自在巻取棒体７を網状体１の上端部および下端部に設けたことにより網状体１の自重、風、つる植物の重みなどによる、たわみを防いだものであり、上端に設けた自在巻取棒体７は網状体１と紐状体２のあいだに設けても良く、下端に設けた自在巻取棒体７は網状体１と支持体８のあいだに設けても良い、自在巻取棒体７は網状体１の上端部または下端部どちらか一方に設けてもよいことを特徴としたものである。
【００１８】図４は、上記図１、図２、図３に示した、本発明に係るつる植物網収納展開装置に設置体５を設けた一実施形態における図である。設置体５に止め付紐受体３、所定の間隔を開け紐受体４を設けて取付穴６を設ける、建物のまど１３の上部、軒下、建造物などに設置体５の取付穴６により固定設置し、網状体１の下端部に設けた支持体８をプランター１２、くい、柵、建造物などに固定設置して網状体１の上端部に設けた紐状体２を、設置体５の止め付紐受体３および紐受体４を介し上下自在に作動する紐状引き体２Ａを引き下げ、止め付紐受体３により紐状体２を固定し、網状体１を展開伸張設置し、たわみ防止の自在巻取棒体７設けたものでり、また紐状引き体２Ａは引き下げたとき長く見た目にも良くなく危険なため収納容器１０を壁などに設けて収納してもよく、紐状引き体２Ａを固定する収納容器１０に固定設置物１１を設ければ止め付紐受体３の止め機構はなくても良い。また高所に這い上ったつる植物を撤去する場合には、紐状引き体２Ａを少し引き下げて止め機構を解除し紐状引き体２Ａを引き上げ網状体１の重みにより地表面に下して、つる植物を簡便かつ安全に撤去できるものである。網状体１を収納する場合は、網状体１に自在巻取棒体７を水平方向に設けて網状体１を巻き取り、支持体８を紐状体２に固定して紐状引き体２Ａを引き上げ網状体１を止め付紐受体３および紐受体４に密接固定し止め付紐受体３により紐状体２を固定すれば網状体１は、簡便かつ安全に収納でき見た目にもよい以上が図４の実施形態におけるつる植物網収納展開装置の構成を特徴としたものである。
【００１９】図５は、本発明に係るつる植物網収納展開装置の地表面に網状体１を下降した一実施形態における図である。紐状引き体２Ａを引き下げ止め機構を解除し紐状引き体２Ａを引き上げれば紐状引き体２Ａが止め付紐受体３および紐受体４を介し、かつ網状体１の自重により地表面に下降して網状体１の高所に這い上った、図２に示したつる植物１２を安全に撤去することができることを特徴としたものである。
【００２０】図６は、本発明に係るつる植物網収納展開装置の一実施形態における収納図である、つる植物網収納展開装置の図１、図２、図３に示したまど１３の上部、または軒下、建造物などに止め付紐受体３、紐受体４および図４、図５、図７、図８に示した設置体５に設けた取付穴６によりくぎ、螺子、クリップ、クランプなどにより固定設置し、自在巻取棒体７に水平方向に網状体１を巻取り支持体８と紐状体２を固定して紐状引き体２Ａを引き下げれば、自在巻取棒体７に巻き取った網状体１は止め付紐受体３または紐受体４に密接安定し、収納容器１０に設けた固定設置物１１に紐状引き体２Ａを固定設置または止め付紐受体３の止め機構により簡便かつ安全に収納また見た目にも美観を損なわないことを特徴としたものである。
【００２１】図７は、本発明に係るつる植物網収納展開装置の一実施形態における展開伸張設置図である、つる植物網収納展開装置の網状体１の上端部に紐状引き体２Ａ、紐状体２を複数本設ける、かつ紐受体４を複数個設けたことにより幅広の網状体１および自在巻取棒体７が自重、風、およびつる植物の重みによるたわみ破損を防ぐことを特徴としたものである。
【００２２】  図８は、本発明に係るつる植物網収納展開装置の一実施形態における展開伸張設置図である、自在巻取棒体７に回転自在な保持体９を設けて、回転自在な保持体９に紐状体２設けて止め付紐受体３，紐受体４を介して紐状引き体２Ａを設ける、自在巻取棒体７に網状体１を取り付けおよび取り外し可能に設けた為に、網状体１の破損時など取替えを簡便、かつ安全に行えることを特徴としたものである。
【００２３】図８に示した、紐状体２に回転自在な保持体９を自在巻取棒体７に設けて回転自在とし網状体１を自在巻取棒体７より取り付けおよび取り外し自在とするものであり、収納時には自在回転し網状体１を巻き取るようにしたことを特徴としたものである。
【００２４】網状体１は、ナイロン、ポリエチレン等の合成樹脂の線材で格子状に編み作成されたものであり、金属線材、天然繊維を格子状に編んでも良い、紐状体２，紐状引き体２Ａ、支持体８は線材状あり、また支持体８はフック状の固定形状物でも良く上記材料により作成したことを特徴としたものである。
【００２５】設置体５、止め付紐受体３、紐受体４、自在巻取棒体７は、ナイロン、ポリエチレン等の合成樹脂で作成されたものであるが、金属材料または金属材料に合成被覆を施して作成してもよく、自在巻取棒体７はパイプ状でも良いことを特徴としたものである。
【００２６】また止め付紐受体３の止め機構および解除機構は、従来からある機構であることを特徴としたものである。
【符号の説明】
【００２７】１・・・網状体
２・・・紐状体
２Ａ・・紐状引き体
３・・・止め付紐受体
４・・・紐受体
５・・・設置体
６・・・取付穴
７・・・自在巻取棒体
８・・・支持体
９・・・保持体
１０・・収納容器
１１・・固定設置物
１２・・プランター
１３・・まど
１４・・つる植物
【図１】
2016146812.tif 000003
【図２】
2016146812.tif 000004
【図３】
2016146812.tif 000005
【図４】
2016146812.tif 000006
【図５】
2016146812.tif 000007
【図６】
2016146812.tif 000008
【図７】
2016146812.tif 000009
【図８】
2016146812.tif 000010